(57)【要約】【課題】  チャイルドロック機能が自動的に設定され、子供等の不用意な操作を防止する電気機器を提供する。【解決手段】  電気機器をコンセントに接続する電源投入時に、自動的にチャイルドロック機能を有効にし、小さい子供等が勝手に操作できないようにする。チャイルドロック機能を解除しない限り、運転できないため、安全性が向上する。  また、チャイルドロック機能解除後、所定時間経過すると、自動的にチャイルドロック機能を有効にすることにより、チャイルドロック設定忘れによる不安全な状態を防止する。【選択図】  図８
2009014273.tif 000002
【特許請求の範囲】
【請求項１】
機器本体の動作指示あるいは設定指示を行う操作部の各種操作キーを操作不可にする操作ロック機能を備えた電気機器において、前記操作ロック機能の有効・無効を制御する制御部が設けられ、該制御部は、機器本体を商用電源コンセントに接続する電源投入時に、前記ロック機能を有効にすることを特徴とする電気機器。
【請求項２】
機器本体の動作指示あるいは設定指示を行う操作部の各種操作キーを操作不可にする操作ロック機能を備えた電気機器において、前記操作ロック機能の有効・無効を制御する制御部が設けられ、前記制御部は、前記ロック機能の解除後に所定時間を経過した後、自動的にロック機能を有効とすることを特徴とする電気機器。
【請求項３】
機器本体の動作指示あるいは設定指示を行う操作部の各種操作キーを操作不可にする操作ロック機能を備えた電気機器において、前記操作ロック機能の有効・無効を制御する制御部が設けられ、該制御部は、機器本体を商用電源コンセントに接続する電源投入時に、前記ロック機能を有効にし、また、前記ロック機能の解除後に所定時間を経過した後、自動的にロック機能を有効とすることを特徴とする電気機器。
【発明の詳細な説明】
【技術分野】
【０００１】
本発明は、機器本体の動作指示あるいは設定指示を行う操作部の各種操作キーを操作不可にする、チャイルドロック機能等のロック機能を有する電気機器に関するものである。
【背景技術】
【０００２】
一般に、電気機器は、使用しない時でも電源コンセントに接続されていることが大半である。これは電気機器に電力が供給されている状態であり、このとき、運転ボタンを押すと、運転が開始される。
【０００３】
しかしながら、小さい子供等、意図せずに運転ボタンを押す可能性があり、ヒータ等の加熱手段を有し、大電流を使用する機器の場合、ユーザーが危険に晒されることが考えられる。
【０００４】
これを解決するため、特許文献１に記載のチャイルドロック機能はスイッチ操作で設定することができ、これにより、子供等の不用意な操作を防止できるようになっている。
【０００５】
ところで、停電時、または電源コンセントからプラグを抜いた場合は、電気機器に電力が供給されていない電源ＯＦＦの状態であり、電源ＯＦＦ前の運転状態は、リセットされる。したがって、この場合、電源ＯＦＦ前にチャイルドロック機能が設定されていても電源が再投入された時、チャイルドロック機能は設定されていないため、再度チャイルドロック機能を設定する必要があった。
【０００６】
このような問題点を解決するため、電源ＯＦＦ前の運転モードを不揮発性メモリーにデータとして保存しておき、電源ＯＮ時にそのデータを取得することにより、電源ＯＦＦ前にチャイルドロック機能が設定されていれば、電源ＯＮ時も、チャイルドロック機能が有効となる制御が特許文献２に記載されている。
【特許文献１】特開平１１−２８０６９２号公報
【特許文献２】特開２００１―３４９５５２号公報
【発明の開示】
【発明が解決しようとする課題】
【０００７】
しかしながら、特許文献２に係る発明では、電源ＯＦＦ前にチャイルドロック機能が設定されていないと、電源を投入した場合、チャイルドロック機能は有効とはならない。つまり、電気機器をコンセントから抜いた時の状態を覚えていないと、電源再投入時にチャイルドロック機能が設定されるか否かは判らない。また、チャイルドロック機能を設定し忘れると、安全性を確保できないという問題があった。
【０００８】
本発明は、上記に鑑み、チャイルドロック機能が自動的に設定され、子供等の不用意な操作を防止し得る電気機器の提供を目的としている。
【課題を解決するための手段】
【０００９】
上記目的を達成するために、本発明では、機器本体の動作指示あるいは設定指示を行う操作部の各種操作キーを操作不可にする操作ロック機能を備えた電気機器において、前記操作ロック機能の有効・無効を制御する制御部が設けられ、該制御部は、機器本体を商用電源コンセントに接続する電源投入時に、前記操作ロック機能を有効にすることを特徴とする。
【００１０】
また、本発明においては、機器本体の動作指示あるいは設定指示を行う操作部の各種操作キーを操作不可にする操作ロック機能を備えた電気機器において、操作ロック機能の有効・無効を制御する制御部が設けられ、制御部は、操作ロック機能の解除後に所定時間を経過した後、自動的に操作ロック機能を有効にすることを特徴とする。
【発明の効果】
【００１１】
本発明によれば、電源ＯＦＦ前のチャイルドロック機能の設定が有効であるか無効であるかに関らず、電源投入時、自動的にチャイルドロック機能が有効となるため、子供等の不用意な操作は確実に防止できる。また、チャイルドロック解除後は所定時間後に自動的にチャイルドロック機能が有効となるため、チャイルドロック機能設定のし忘れを防止し安全を確保できる。
【発明を実施するための最良の形態】
【００１２】
以下、本発明に係る加湿装置を搭載した電気暖房機器の実施形態を図面に基づいて説明する。図１は加湿装置を搭載した電気暖房機器の正面側の概略斜視図、図２は同じく正面側の概略分解斜視図、図３は同じく電気暖房機器の背面側の概略斜視図、図４は電気暖房機器の側面からみた空気の流れを示す概略構成図である。
【００１３】
本実施形態における電気暖房機器の機器本体１は、図１から図３に示すように、箱型形状に形成されている。機器本体１の前面下部には、加温あるいは加湿された空気を機器外に放出させるための吹出口３が形成され、その上方には水タンク４を収納する貯水タンク収納部が形成され、水タンク４は前面のタンクカバー２により着脱自在に収納できるようになっている。
【００１４】
機器本体１の背面側では、図３及び図４に示すように、上部に空気吸込口５が形成され、この空気吸込口５から前面の吹出口３に至る空気通路６が形成され、この通路６に加湿フィルタ７を備えた加湿フィルタ体８と、通路６を通過する空気を加熱する加熱体としてのセラミックヒータ９と、これら加湿フィルタ体８やセラミックヒータ９に空気を送る送風手段としての送風機１０とが配置されている。
【００１５】
上述したように、本実施形態の電気暖房機器は、通過空気を加熱する加熱体９及び加熱体９に空気を送る送風機１０を備えた暖房装置と、水タンク４や加湿フィルタ７を具備する加湿装置とが主要機能部品となっている。なお、送風機１０は加湿装置の送風手段としても機能する。すなわち、本実施形態の電気暖房機器は、運転モードとして、暖房運転の単独運転のみならず、暖房運転及び加湿運転の併用運転、あるいは、加湿運転の単独運転が可能とされている。そして、加湿運転を単独運転する場合にも、送風機１０が駆動し、加湿空気を吹出口３から吹出すようになっている。
【００１６】
セラミックヒータ９は、加湿装置の運転時には極力使用せず、加湿の立上がりを早めたいときや加湿を多量に発生するときに駆動させるよう制御される。
【００１７】
加湿装置は、図４および図５に示すように、水タンク４と、水タンク４から水の供給を受けて内部に一定の水位の水を貯める加湿トレー１１と、吸水性のある加湿フィルタ７を含む加湿フィルタ体８と、加湿フィルタ７に加湿トレー１１の水を散水する散水手段と、送風機１０とを備えている。
【００１８】
水タンク４にはタンク本体４ａと、その底面から下方に延長された延長管４ｂとが一体的に成形されたものであって、水タンク４を機器本体１に収納した状態で、延長管４ｂはその先端が加湿トレー１１の水中に没する長さに設定されている。
【００１９】
散水手段は、加湿トレー１１内の水中に設置された汲み上げポンプ１２と、加湿フィルタ体８の頂部に被せるように設置された加湿ボックス１３と、ポンプ１２及び加湿ボックスを接続する接続管１４から構成される。加湿ボックス１３の底面全面には図示しない複数の散水穴が形成されており、この散水穴から加湿フィルタ７全体に均一に水が供給されるようになっている。
【００２０】
加湿フィルタ体８は、図５及び図６に示すように、加湿フィルタ７と、加湿フィルタ７を装着保持する枠体１５とから構成されている。加湿フィルタ７は、吸水性のある所定厚みの不織布が上方からみてＷ字状に連続して折り曲げられてジグザグ状に形成されたものであって、空気を折曲面に吹き付けてフィルタ７に吸着した水分を気化させるようにしている。
【００２１】
枠体１５は、図６に示すように、前後方向及び上方向を開放させた横長タイプの直方体の箱形状をなし、左右の側面及び底面は閉塞面とされており、加湿フィルタ７を装着保持した状態で、フィルタ７の折曲面が枠体１５の開放面に臨むようになっている。
【００２２】
次に、上述の電気暖房機器の動作を説明する。電気暖房機器にはマイコンからなる制御部が備えられており、以下に説明する操作部１６の各スイッチを押すと、その信号を受けて送風機１０、セラミックヒータ９及びポンプ１２を制御するようになっている。操作部１６は、機器本体の動作指示あるいは設定指示を行う各種操作キーを有している。例えば、図７に示すように、電源スイッチ２１、暖房スイッチ２２、加湿スイッチ２３、チャイルドロックスイッチ２４を備えている。
【００２３】
特に、チャイルドロックスイッチ２４は、１秒以上押すと、操作ロック機能、つまりチャイルドロック機能の有効・無効が繰り返される。つまり、チャイルドロック機能が有効なときに、チャイルドロック機能を１秒以上押すと、チャイルドロック機能が無効となり、チャイルドロック機能が無効なときに、チャイルドロックスイッチを１秒以上押しつづけると、チャイルドロック機能を有効とする。
【００２４】
この操作ロック機能の有効・無効を制御する制御部２５は、機器本体を商用電源コンセント（図示略）に接続する電源投入時に操作ロック機能、つまり、チャイルドロック機能を有効にする。また、制御部２５は、チャイルドロックスイッチ２４をＯＮして操作ロック機能を解除した後、所定時間を経過すれば自動的に操作ロック機能を有効とする。
【００２５】
ここで、所定時間とは、チャイルドロック機能を解除し、所定の操作を行ない、チャイルドロックスイッチを押し忘れた場合に、自動的にチャイルドロック機能を有効にするものであるため、例えば、５分間を挙げることができるが、特にこれに限定されるものではない。
【００２６】
次に、暖房装置の動作を説明する。図７に示す操作部１６の電源スイッチ２１を『入』にし、暖房スイッチ２２を押して自動運転モードを選択すると、暖房自動運転がスタートする。暖房スイッチ２２を順送り押していくと、『自動』→『切』→『弱』→『強』→『自動』の暖房運転モードを選択し、選択された暖房運転モードで暖房運転される。
【００２７】
暖房自動運転モードでは、図示しない温度センサからの信号を入力して、室温を設定温度（例えば、２２℃）になるように、セラミックヒータ９及び送風機１０を制御して自動運転を行う。
【００２８】
自動暖房運転以外の「強」運転モードでは、室温に関係なく、セラミックヒータ９を最大の１２００Ｗで連続運転をする。また、「弱運転」は、室温に関係なく、セラミックヒータ９を６００Ｗで連続運転をする。送風機１０より吸込んだ空気は、セラミックヒータ９を通過して、加熱されて吹出口３から放出される。
【００２９】
次に、加湿装置の動作を説明する。まず、機器本体１のタンクカバー２を開け、水タンク４を機器本体１にセットする。そして、操作部１６の電源スイッチ２１を『入』にし、加湿スイッチ２３を押して自動運転モードを選択すると、加湿自動運転がスタートする。加湿スイッチ２３を順送り押していくと、『連続』→『のどうるおい』（自動）→『切』の加湿運転モードを選択し、選択された加湿運転モードで加湿運転される。
【００３０】
自動加湿運転モードの『のどうるおい』の加湿運転は、検出された湿度と設定した湿度との差に応じて、セラミックヒータ９の出力及び送風機１０の風量を組み合わせて加湿量を変えて自動的に加湿制御される。
【００３１】
また、『連続』加湿運転は、湿度に関係なく、連続加湿運転をする。この加湿運転のときに、吸込んだ空気をセラミックヒータ９により空気を加温し、温度が高くなった空気を加湿フィルタ７へ通過させることにより、加湿フィルタ７より水分を多量に離脱させることができ、多く水分を含んだ空気を放出することができる。
【００３２】
このように、通常、加湿運転を自動モードで単独運転するときには、セラミックヒータ９は駆動しないが、加湿量の多い運転（連続運転）をするときや、あるいは、暖房スイッチ２２をＯＮにしているときには、セラミックヒータ９を駆動させるので、使用勝手が良く、使用性が向上する。
【００３３】
次に、チャイルドロック機能を図８にしたがって説明する。電源投入時、自動的にチャイルドロック機能が有効となり、操作部１６の操作ボタンは無効となる。このとき、チャイルドロックスイッチ２４を１秒間連続で押すことによりチャイルドロック機能が解除され、操作部１６の各スイッチを押すことにより各種操作可能となる。
【００３４】
チャイルドロック機能解除時にチャイルドロックスイッチ２４を１秒間連続で押すことで、再びチャイルドロック機能が有効となる。また、チャイルドロックスイッチ２４でチャイルドロック機能を設定しなくてもチャイルドロック機能解除後、所定時間経過するとチャイルドロック機能は自動的に有効となる。但し、チャイルドロック機能が有効の時、電源切の操作のみ有効であり、それ以外の操作ボタンは無効となる。
【００３５】
電源投入時は、いかなる場合でもチャイルドロック機能が有効となりこれを解除しない限り電気機器を運転することができない。小さい子供等が勝手に操作できないようにし、安全性を向上させる。また、チャイルドロック機能解除後、所定時間経過すると、自動的にチャイルドロック機能を有効にすることにより、チャイルドロック設定忘れによる不安全な状態を防止する。
【００３６】
なお、本発明は、上記実施形態に限定されるものではなく、本発明の範囲内で多くの修正および変更を加えることができるのは勿論である。例えば、上記実施形態では、加湿装置を搭載した電気暖房機器について説明したが、本発明は、このような電気暖房機器に限らず、操作ロック機能が必要な各種電気機器について適用することができる。
【図面の簡単な説明】
【００３７】
【図１】本発明に係る電気暖房機器の正面側の概略斜視図
【図２】図１の概略分解斜視図
【図３】図１における電気暖房機器の背面側の概略斜視図
【図４】図１における電気暖房機器の側面からみた概略構成図
【図５】加湿フィルタと加湿ボックスの組立状態を正面側からみた概略図
【図６】加湿フィルタ体を正面側からみた斜視図
【図７】図１の操作部の概略図
【図８】本発明のチャイルドロック機能を説明するための制御フローチャート
【符号の説明】
【００３８】
１     機器本体
２     タンクカバー
３     吹出口
４     水タンク
５     空気吸込口
６     空気通路
７     加湿フィルタ
８     加湿フィルタ体
９     セラミックヒータ
１０   送風機
１１   加湿トレー
１２   ポンプ
１３   加湿ボックス
１４   接続管
１５   枠体
１６   操作部
２１   電源スイッチ
２２   暖房スイッチ
２３   加湿スイッチ
２４   チャイルドロックスイッチ
【図１】
2009014273.tif 000003
【図２】
2009014273.tif 000004
【図３】
2009014273.tif 000005
【図４】
2009014273.tif 000006
【図５】
2009014273.tif 000007
【図６】
2009014273.tif 000008
【図７】
2009014273.tif 000009
【図８】
2009014273.tif 000010